(57)【要約】【課題】最低共振周波数への影響を抑制しつつ機械的強度が向上する振動板と、電気音響変換器と、を提供する。【解決手段】振動板１４４Ａであって、メインドーム１４４１と、メインドーム１４４１の外周縁に連なるサブドーム１４４２と、メインドーム１４４１とサブドーム１４４２との境界に配置される補強材１４４６Ａと、を有してなり、補強材１４４６Ａは、サブドーム１４４２の外周縁に至るまでは配置されない、ことを特徴とする。【選択図】図４
2019110515.tif 000002
【特許請求の範囲】
【請求項１】
メインドームと、
前記メインドームの外周縁に連なるサブドームと、
前記メインドームと前記サブドームとの境界に配置される補強材と、
を有してなり、
前記補強材は、前記サブドームの外周縁に至るまでは配置されない、
ことを特徴とする振動板。
【請求項２】
前記補強材の外周縁は、前記サブドームの頂部の近傍に配置される、
請求項1記載の振動板。
【請求項３】
前記境界の形状は、円形で、
前記補強材の形状は、リング状である、
請求項１記載の振動板。
【請求項４】
前記補強材の材質は、前記サブドームの材質とは異なる、
請求項１記載の振動板。
【請求項５】
前記補強材は、少なくとも、
前記境界の表面に配置される第１補強材と、
前記境界の裏面に配置される第２補強材と、
のいずれか一方を含む、
請求項１記載の振動板。
【請求項６】
前記補強材は、前記第１補強材と前記第２補強材とを含み、
前記第１補強材の材質は、前記第２補強材の材質とは異なる、
請求項５記載の振動板。
【請求項７】
前記補強材は、前記第１補強材と前記第２補強材とを含み、
前記第１補強材の形状は、前記第２補強材の形状とは異なる、
請求項５記載の振動板。
【請求項８】
電気信号を音波に変換、または、音波を電気信号に変換する電気音響変換器であって、
前記電気信号に応じて振動、または、前記音波に応じて振動する振動板を備え、
前記振動板は、請求項１記載の振動板である、
ことを特徴とする電気音響変換器。
【発明の詳細な説明】
【技術分野】
【０００１】
本発明は、振動板と電気音響変換器とに関する。
【背景技術】
【０００２】
電気信号と音波とを相互に変換する電気音響変器は、ヘッドホンやマイクロホン、スピーカなどの電気音響変換装置に組み込まれて使用される。電気音響変換器は、電気信号に基づいて振動板が振動することにより電気信号に応じた音波を生成し、あるいは、音波に基づいて振動板が振動することにより音波に応うじた電気信号を生成する。
【０００３】
電気音響変換器の変換のタイプには、磁界を用いるダイナミック型や電界を用いるコンデンサ型などがある。
【０００４】
ダイナミック型の電気音響変換器は、磁気回路と、ボイスコイルと、振動板と、を有してなる。磁気回路は、磁界を発生させる。ボイスコイルは、磁気回路の磁界中に配置される導体で、振動板に取り付けられる。振動板は、ボイスコイルに電気信号（電流）を流すことで発生する駆動力により振動して音波を生成し、あるいは、音波を受けてボイスコイルと共に振動することによりボイスコイルに電気信号を生成する。
【０００５】
振動板は、振動部と、取付部と、を備える。振動板は、例えば、高分子フィルムなどの薄膜を加圧または加熱して成形される。振動部は、メインドームとサブドームとを備える。メインドームは、平面視において円形のドーム状である。サブドームは、平面視においてリング状、かつ、ドーム状である。サブドームは、メインドームの外周縁に連なる。取付部は、サブドームの外周縁に連なる。すなわち、メインドームとサブドームと取付部とは、一体に成形される。
【０００６】
一般的に、振動板は、振動板のスチフネスを小さくするために薄膜で構成される。そのため、振動板の機械的強度は、低くなり易い。その結果、メインドームは、加えられた音圧、または、ボイスコイルの駆動力により容易に変形し得る。振動板の機械的強度が低くなると、振動板が出力する音の音質は、低下する。
【０００７】
振動板の機械的強度を高める方法として、振動板の一方の面に補強フィルム（補強材）を貼り付ける方法（例えば、特許文献１参照）や、振動板の厚みを厚くする方法（例えば、特許文献２参照）、が提案されている。
【先行技術文献】
【特許文献】
【０００８】
【特許文献１】特開昭５５−１３７７９７号公報
【特許文献２】特開２００８−８５９８５号公報
【発明の概要】
【発明が解決しようとする課題】
【０００９】
しかし、振動板の機械的強度を高めるために、振動部全体、特にサブドームの外周縁まで補強材を貼り付けたり、厚みを厚くしたりすると、振動板の最低共振周波数（ｆ０）は影響を受けて変化する。最低共振周波数が変化すると、振動板の低音域特性は悪化する。
【００１０】
本発明は、以上のような従来技術の問題点を解消するためになされたもので、最低共振周波数への影響を抑制しつつ機械的強度が向上する振動板と、電気音響変換器と、を提供することを目的とする。
【課題を解決するための手段】
【００１１】
本発明にかかる振動板は、メインドームと、メインドームの外周縁に連なるサブドームと、メインドームとサブドームとの境界に配置される補強材と、を有してなり、補強材は、サブドームの外周縁に至るまでは配置されない、ことを特徴とする。
【発明の効果】
【００１２】
本発明によれば、最低共振周波数への影響を抑制しつつ機械的強度が向上する。
【図面の簡単な説明】
【００１３】
【図１】本発明にかかる電気音響変換器を備える電気音響変換装置の斜視図である。
【図２】図１の電気音響変換装置の左側面図である。
【図３】図２の電気音響変換装置のＡ−Ａ線断面図である。
【図４】本発明にかかる振動板の実施の形態を示す、（ａ）は平面図、（ｂ）は（ａ）のＢ−Ｂ線断面図、である。
【図５】本発明にかかる電気音響変換器の周波数特性を示すグラフである。
【図６】本発明にかかる振動板が備える補強材の別の態様を示す振動板の断面図である。
【図７】補強材のさらに別の態様を示す振動板の断面図である。
【図８】本発明にかかる振動板の別の実施の形態を示す、（ａ）は平面図、（ｂ）は（ａ）のＣ−Ｃ線断面図、である。
【図９】補強材の別の態様を示す振動板の断面図である。
【図１０】補強材のさらに別の態様を示す振動板の断面図である。
【図１１】補強材のさらに別の態様を示す振動板の断面図である。
【図１２】補強材のさらに別の態様を示す振動板の断面図である。
【図１３】本発明にかかる振動板のさらに別の実施の形態を示す、（ａ）は平面図、（ｂ）は（ａ）のＤ−Ｄ線断面図、（ｃ）は底面図、である。
【図１４】補強材の別の態様を示す振動板の断面図である。
【発明を実施するための形態】
【００１４】
以下、図面を参照しながら、本発明にかかる振動板と、電気音響変換器と、の実施の形態について説明する。
【００１５】
●電気音響変換装置（１）●
先ず、本発明にかかる電気音響変換器を備える電気音響変換装置（以下「本装置」という。）について説明する。
本装置は、携帯型楽音再生機などの音源からの音声信号に基づいて、音波を出力する、例えば、ヘッドホンやイヤホン、スピーカなどの電気音響変換装置である。以下の説明では、本装置について、ヘッドホンを例に説明する。
【００１６】
●電気音響変換装置（１）の構成
図１は、本装置の斜視図である。
図２は、本装置の左側面図である。
【００１７】
本装置１は、本装置１の使用者の頭部に装着されて、音源からの音声信号に基づいて、音波を出力する。本装置１は、例えば、ケーブル（不図示）を介して音源からの音声信号が入力される有線式のヘッドホンである。
【００１８】
なお、本装置は、例えば、ブルートゥース（登録商標）などの無線伝送を用いて音源から音声信号を受信する無線式のヘッドホンでもよい。
【００１９】
以下の説明において、本装置１の上下左右前後の方向は、本装置１が装着された使用者の上下左右前後の各方向と同じである。
【００２０】
本装置１は、第１放音ユニット１０と、第２放音ユニット２０と、連結部材３０と、を有してなる。
【００２１】
図３は、第１放音ユニット１０の図２のＡ−Ａ線断面図である。
【００２２】
第１放音ユニット１０は、使用者の左耳の周囲に装着されて、音源からの音声信号に基づいて、音波を出力する。第１放音ユニット１０は、ハウジング１１と、イヤパッド１２と、回路基板１３と、電気音響変換器１４Ａと、を備える。
【００２３】
ハウジング１１は、回路基板１３と電気音響変換器１４Ａとを収容する。ハウジング１１は、バッフル板１１１と、第１ハウジング１１２と、第２ハウジング１１３と、を備える。
【００２４】
バッフル板１１１は、電気音響変換器１４Ａを保持する。第１ハウジング１１２は、バッフル板１１１と共に、電気音響変換器１４Ａを収容する第１収容室Ｓ１を形成する。第２ハウジング１１３は、第１ハウジング１１２と共に、回路基板１３を収容する第２収容室Ｓ２を形成する。
【００２５】
イヤパッド１２は、ハウジング１１と、使用者の頭部と、の間の緩衝材である。イヤパッド１２は、本装置１が使用者の頭部に装着されたとき、ハウジング１１と、使用者の頭部と、の間に閉空間（以下「前空気室」という。）Ｓ３を形成する。
【００２６】
回路基板１３は、音声信号の受信用の回路や、ノイズキャンセル用の回路などを実装する。回路基板１３は、第２収容室Ｓ２に配置される。
【００２７】
なお、回路基板は、本発明における必須の構成ではなく、第１放音ユニットは、回路基板を備えなくてもよい。その場合、第２収納室は不要である。
【００２８】
電気音響変換器１４Ａは、音源からの電気信号（音声信号）に基づいて、音波を生成して、音波を前空気室Ｓ３に出力する。電気音響変換器１４Ａは、バッフル板１１１に取り付けられて、第１収容室Ｓ１に配置される。電気音響変換器１４Ａの構成については後述する。
【００２９】
図１に戻る。
第２放音ユニット２０は、使用者の右耳の周囲に装着されて、音源からの音声信号に基づいて、音波を出力する。第２放音ユニット２０の構成は、第１放音ユニット１０の構成と共通する。すなわち、第２放音ユニット２０は、ハウジング２１と、イヤパッド２２と、回路基板（不図示）と、電気音響変換器（不図示）と、を備える。
【００３０】
連結部材３０は、第１放音ユニット１０と第２放音ユニット２０とを連結する。
【００３１】
●電気音響変換器（１）の構成
次に、本発明にかかる電気音響変換器について説明する。ここで、第２放音ユニット２０が備える電気音響変換器（不図示）の構成は、第１放音ユニット１０が備える電気音響変換器１４Ａの構成と共通する。そこで、以下、第１放音ユニット１０が備える電気音響変換器１４Ａの構成を例に、説明する。
【００３２】
電気音響変換器１４Ａは、ユニットケース１４１と、磁気回路１４２と、ボイスコイル１４３と、振動板１４４Ａと、を備える。
【００３３】
ユニットケース１４１は、磁気回路１４２と、ボイスコイル１４３と、振動板１４４Ａと、を収容する。ユニットケース１４１は、バッフル板１１１に取り付けられる。
【００３４】
磁気回路１４２は、磁界を発生させる。磁気回路１４２は、磁束が均一な密度で通過する磁気ギャップＧを備える。
【００３５】
ボイスコイル１４３は、音声信号に応じて駆動（振動）する。ボイスコイル１４３は、振動板１４４Ａの裏面（図３の紙面左側の面）に取り付けられる。ボイスコイル１４３は、磁束を横切るように磁気ギャップＧ内に配置される。
【００３６】
振動板１４４Ａは、ボイスコイル１４３の駆動（振動）に応じて振動し、音波を出力する。振動板１４４Ａは、平面視において円形の薄膜である。振動板１４４Ａは、例えば、ポリプロピレンやポリエチレンフィルムなどの合成樹脂製である。振動板１４４Ａの構成については、後述する。
【００３７】
●振動板（１）の構成
次に、本発明にかかる振動板について説明する。
図４は、本発明にかかる振動板の実施の形態を示す、（ａ）は平面図、（ｂ）は（ａ）のＢ−Ｂ線断面図、である。
【００３８】
振動板１４４Ａは、メインドーム１４４１と、サブドーム１４４２と、取付部１４４３と、境界１４４４と、境界１４４５と、補強材１４４６Ａと、を備える。メインドーム１４４１とサブドーム１４４２と取付部１４４３と境界１４４４と境界１４４５とは、加熱プレスにより一体に成形される。振動板１４４Ａは、メインドーム１４４１とサブドーム１４４２との間に境界１４４４を備え、サブドーム１４４２と取付部１４４３との間に境界１４４５を備える。
【００３９】
メインドーム１４４１とサブドーム１４４２と境界１４４４とは、ボイスコイル１４３の振動に基づいて振動する振動部を構成する。メインドーム１４４１は、平面視において円形、かつ、断面視において右方（図３の紙面右方向）に凸なドーム状である。サブドーム１４４２は、平面視においてリング状、かつ、断面視において右方に凸な円弧状である。サブドーム１４４２は、メインドームの外周縁に連なる。すなわち、サブドーム１４４２は、メインドーム１４４１の外周縁に配置される。メインドーム１４４１とサブドーム１４４２との境界１４４４を繋ぐ線（仮想線）は、平面視において円形である。サブドーム１４４２は、頂部Ｐを有する。頂部Ｐは、サブドーム１４４２の頂点である。
【００４０】
なお、境界の幅（図４（ｂ）の左右方向の距離）は、振動板の用途や大きさなどにより適宜設定される。
【００４１】
取付部１４４３は、ユニットケース１４１に取り付けられる。振動板１４４Ａは、ユニットケース１４１に対して、振動可能である。取付部１４４３は、平面視において、リング状、かつ、断面視において平板状である。取付部１４４３は、サブドーム１４４２の外周縁に連なる。すなわち、取付部１４４３は、サブドーム１４４２の外周縁に配置される。サブドーム１４４２と取付部１４４３との境界１４４５を繋ぐ線（仮想線）は、平面視において円形である。
【００４２】
補強材１４４６Ａは、振動部を補強して、振動部の機械的強度を向上させる（高める）。
【００４３】
補強材１４４６Ａは、メインドーム１４４１の表面（図４（ｂ）の紙面上側の面）の全体と、境界１４４４と、サブドーム１４４２の表面の一部と、を覆う。補強材１４４６Ａは、平面視円形である。補強材１４４６Ａは、例えば、ポリカーボネートなどの熱可塑性プラスチック製の薄膜である。すなわち、補強材１４４６Ａの材質は、振動部の材質とは異なる。
【００４４】
なお、補強材の材質は、振動部を補強することができるものであれば、振動部と同じ材質でもよい。
【００４５】
補強材１４４６Ａは、振動部の表面（図４（ｂ）の紙面上側の面）に接着剤（不図示）を介して貼り付けられる。接着剤は、例えば、ＵＶ（Ultraviolet）硬化系の接着剤である。
【００４６】
なお、接着剤は、補強材を振動部に貼り付けることができるものであれば、ＵＶ硬化系の接着剤に限定されない。
【００４７】
また、補強材の構成は、本実施の形態に限定されない。すなわち、例えば、補強材の構成は、補強材の全体または一部にメッシュ部を含む構成でもよく、あるいは、余剰の接着剤を流出させるための溝、穴、孔などを備える構成でもよい。
【００４８】
補強材１４４６Ａは、図４（ｂ）に示されるように、メインドーム１４４１の全体と、境界１４４４と、サブドーム１４４２の一部と、の表面（図４（ｂ）の紙面上側の面）に配置される。補強材１４４６Ａは、サブドーム１４４２の外周縁に至るまでは配置されない。すなわち、補強材１４４６Ａは、境界１４４５には配置されない。つまり、補強材１４４６Ａは、サブドーム１４４２の外周縁には配置されない。したがって、補強材１４４６Ａは、接着剤（不図示）を介してメインドーム１４４１の全体と、境界１４４４と、サブドーム１４４２の一部と、に亘って貼り付けられる。
【００４９】
ここで、「補強材１４４６Ａは、サブドーム１４４２の外周縁に至るまでは配置されない」は、平面視円形の補強材１４４６Ａの外周縁がサブドーム１４４２における境界１４４５よりも内側（境界１４４４側）に配置されることを意味する。すなわち、補強材１４４６Ａの外周縁は、サブドーム１４４２における境界１４４４と境界１４４５との間に位置する。
【００５０】
補強材１４４６Ａの外周縁は、図４（ｂ）に示されるように、サブドーム１４４２の頂部Ｐに位置するように配置される。すなわち、補強材１４４６Ａは、メインドーム１４４１と境界１４４４とサブドーム１４４２の一部とに配置される。
【００５１】
なお、補強材の外周縁の好ましい位置は、例えば、サブドーム１４４２の頂部Ｐの近傍である。頂部Ｐの近傍とは、サブドーム１４４２における「頂部Ｐと境界１４４４との中間位置」から「頂部Ｐと境界１４４５との中間位置」までの範囲である。つまり、頂部Ｐの近傍は、頂部Ｐよりも内側（頂部Ｐと境界１４４４との中間位置側）と、頂部Ｐよりも外側（頂部Ｐと境界１４４５との中間位置側）と、を含む。
【００５２】
●電気音響変換器（１）の動作●
次に、本発明にかかる電気音響変換器の動作について説明する。
【００５３】
振動板１４４Ａは、ボイスコイル１４３の駆動（振動）に応じて振動し、音波を出力する。補強材１４４６Ａは、メインドーム１４４１の全体と、境界１４４４と、サブドーム１４４２の一部と、に配置される。そのため、振動板１４４Ａの機械的強度は、向上する。さらに、補強材１４４６Ａは、サブドーム１４４２の外周縁に至るまでは配置されない。そのため、振動板１４４Ａの最低共振周波数への影響（例えば、最低共振周波数の上昇）は、抑制される。
【００５４】
図５は、本発明にかかる電気音響変換器の周波数特性を示すグラフである。
同図は、従来の電気音響変換器（以下「従来品」という。）の周波数特性と、本発明にかかる電気音響変換器の周波数特性と、の比較結果を示す。
【００５５】
図５中、実線は、本発明にかかる電気音響変換器１４Ａの周波数特性を示す。一方、破線は従来品の周波数特性を示す。図５に示すように、電気音響変換器１４Ａの周波数特性と、従来品の周波数特性と、は、低音域の特性がほとんど変わらない。すなわち、電気音響変換器１４Ａは、補強材１４４６Ａを備えているのにも関わらず、振動板１４４Ａの最低共振周波数への影響が抑制されている。また、電気音響変換器１４Ａの周波数特性は、従来品の周波数特性と比べて、中音域や高音域で振動板の出力する音圧が低下している。つまり、電気音響変換器１４Ａは、従来品と比べて、振動板１４４Ａの共振が抑えられることで、中音域の特性や高音域の特性が改善され、良好な周波数特性を備える。
【００５６】
●まとめ（１）
以上説明した実施の形態によれば、電気音響変換器１４Ａの振動板１４４Ａは、振動部に補強材１４４６Ａが配置される。そのため、振動板１４４Ａの機械的強度は、向上する。また、補強材１４４６Ａは、サブドーム１４４２の外周縁に至るまでは配置されない。そのため、振動板１４４Ａの最低共振周波数への影響は抑制される。すなわち、振動板１４４Ａは、振動板１４４Ａの最低共振周波数への影響を抑制しつつ、振動板１４４Ａの機械的強度を向上させることができる。
【００５７】
なお、補強材は、振動部の表面に代えて、振動部の裏面（図３の紙面左側の面）に接着材を介して貼り付ける構成でもよい。
【００５８】
図６は、補強材の別の態様を示す振動板の断面図である。
同図は、振動部の裏面（図６の紙面下側の面）に補強材が貼り付けられていることを示す。
【００５９】
振動板１４４Ｂは、メインドーム１４４１と、サブドーム１４４２と、取付部１４４３と、境界１４４４と、境界１４４５と、補強材１４４６Ｂと、を備える。
【００６０】
補強材１４４６Ｂは、図６に示されるように、メインドーム１４４１の全体と、境界１４４４と、サブドーム１４４２の一部と、の裏面に配置される。補強材１４４６Ｂは、サブドーム１４４２の外周縁に至るまでは配置されない。すなわち、補強材１４４６Ｂは、境界１４４５には配置されない。つまり、補強材１４４６Ｂは、サブドーム１４４２の外周縁には配置されない。したがって、補強材１４４６Ｂは、接着剤（不図示）を介してメインドーム１４４１の全体と、境界１４４４と、サブドーム１４４２の一部と、に亘って貼り付けられる。補強材１４４６Ｂは先に説明した補強材１４４６Ａと同様に平面視円形である。
【００６１】
このような補強材１４４６Ｂを備える振動板１４４Ｂによっても、先に説明した振動板１４４Ａと同様の効果を奏する。
【００６２】
また、補強材は、振動部の表面と、振動部の裏面と、に接着材を介して貼り付ける構成でもよい。
【００６３】
図７は、補強材のさらに別の態様を示す振動板の断面図である。
同図は、振動部の表面（図７の紙面上側の面）と、振動部の裏面（図７の紙面下側の面）と、に補強材が貼り付けられていることを示す。すなわち、同図は、振動部の表面に第１補強材が貼り付けられ、振動部の裏面に第２補強材が貼り付けられていることを示す。
【００６４】
振動板１４４Ｃは、メインドーム１４４１と、サブドーム１４４２と、取付部１４４３と、境界１４４４と、境界１４４５と、補強材１４４６Ｃと、を備える。
【００６５】
補強材１４４６Ｃは、第１補強材１４４６Ｃ１と第２補強材１４４６Ｃ２とを備える。第１補強材１４４６Ｃ１の形状は、第２補強材１４４６Ｃ２の形状と同じである。第１補強材１４４６Ｃ１の外周縁（外側端部）の位置は、第２補強材１４４６Ｃ２の外周縁（外側端部）の位置と一致する。
【００６６】
なお、第１補強材の外周縁（外側端部）の位置は、第２補強材の外周縁（外側端部）の位置と一致していなくてもよい。すなわち、例えば、第１補強材の外周縁（外側端部）と、第２補強材の外周縁（外側端部）それぞれの位置がサブドームの頂部の近傍に位置していれば、第１補強材の外周縁（外側端部）の位置は第２補強材の外周縁（外側端部）の位置よりも外側に位置していてもよく、あるいは、第１補強材の外周縁（外側端部）の位置は第２補強材の外周縁（外側端部）の位置よりも内側に位置していてもよい。
【００６７】
第１補強材１４４６Ｃ１は、図７に示されるように、メインドーム１４４１の全体と、境界１４４４と、サブドーム１４４２の一部と、の表面に配置される。第１補強材１４４６Ｃ１は、サブドーム１４４２の表面における外周縁に至るまでは配置されない。第２補強材１４４６Ｃ２は、サブドーム１４４２の裏面における外周縁に至るまでは配置されない。第２補強材１４４６Ｃ２は、図７に示されるように、メインドーム１４４１の全体と、境界１４４４と、サブドーム１４４２の一部と、の裏面に配置される。すなわち、第１補強材１４４６Ｃ１と第２補強材１４４６Ｃ２とは、いずれも境界１４４５には配置されない。つまり、第１補強材１４４６Ｃ１と第２補強材１４４６Ｃ２とは、いずれもサブドーム１４４２における外周縁には配置されない。第１補強材１４４６Ｃ１は、接着剤（不図示）を介してメインドーム１４４１の全体と、境界１４４４と、サブドーム１４４２の一部と、に亘って貼り付けられる。第２補強材１４４６Ｃ２は、接着剤（不図示）を介してメインドーム１４４１の全体と、境界１４４４と、サブドーム１４４２の一部と、に亘って貼り付けられる。第１補強材１４４６Ｃ１と第２補強材１４４６Ｃ２とは、いずれも先に説明した補強材１４４６Ａと同様に平面視円形である。
【００６８】
このような補強材１４４６Ｃを備える振動板１４４Ｃによっても、先に説明した振動板１４４Ａと同様の効果を奏する。
【００６９】
以上説明したように、本発明にかかる振動板が備える補強材は、少なくとも、境界１４４４の表面に配置される補強材（第１補強材）と、境界１４４４の裏面に配置される補強材（第２補強材）と、のいずれか一方を含む。
【００７０】
●電気音響変換装置と電気音響変換器と振動板（２）●
次に、本発明にかかる電気音響変換器と振動板との別の実施の形態（以下「第２実施形態」という。）について、先に説明した実施の形態（以下「第１実施形態」という。）と異なる部分を中心に説明する。第２実施形態における電気音響変換器は、振動板の補強材の形状と配置とが第１実施形態と異なる。
【００７１】
第２実施形態の電気音響変換装置は、第２実施形態の電気音響変換器を備える。第２実施形態の電気音響変換器は、第２実施形態の振動板を備える。すなわち、第２実施形態の電気音響変換装置は、第２実施形態の振動板を備えた電気音響変換器を有する。
【００７２】
第２実施形態の電気音響変換装置と電気音響変換器と振動板とは、振動板の構成が第１実施形態の振動板の構成と異なり、その他は第１実施形態と同様である。
【００７３】
第２実施形態の振動板が備える補強材は、メインドームとサブドームとの境界と、メインドームの一部と、サブドームの一部と、にのみに配置されている。第１実施形態の振動板が備える補強材は、メインドームとサブドームとの境界に加えて、メインドームの全体とサブドームの一部と、に配置されている。
【００７４】
●振動板（２）の構成
図８は、本発明にかかる振動板の別の実施の形態を示す、（ａ）は平面図、（ｂ）は（ａ）のＣ−Ｃ線断面図である。
同図において、第１実施形態と同じ符号が付された部材は、第１実施形態と同じ機能を備える。
【００７５】
振動板１４４Ｄは、メインドーム１４４１と、サブドーム１４４２と、取付部１４４３と、境界１４４４と、境界１４４５と、補強材１４４６Ｄと、を備える。
【００７６】
補強材１４４６Ｄは、図８（ｂ）に示されるように、境界１４４４と、境界１４４４を挟むメインドーム１４４１の一部と、サブドーム１４４２の一部と、の表面（図８（ｂ）の紙面上側の面）に配置される。補強材１４４６Ｄは、サブドーム１４４２の外周縁に至るまでは配置されず、メインドーム１４４１の頂部Ｑやその近傍にも配置されない。すなわち、補強材１４４６Ｄは、境界１４４４と、境界１４４４を挟むメインドーム１４４１の一部と、サブドーム１４４２の一部と、にのみ配置され、境界１４４５には配置されない。つまり、補強材１４４６Ｄは、サブドーム１４４２の外周縁には配置されない。頂部Ｑは、メインドーム１４４１の頂点である。
【００７７】
補強材１４４６Ｄは、接着剤（不図示）を介して、境界１４４４と、境界１４４４を挟むメインドーム１４４１の一部と、サブドーム１４４２の一部と、に貼り付けられる。すなわち、補強材１４４６Ｄは、振動部の表面の一部に貼り付けられる。補強材１４４６Ｄは、図８（ａ）に示されるように、平面視リング状である。
【００７８】
ここで、「補強材１４４６Ｄがメインドーム１４４１の頂部Ｑには配置されない」、は、平面視リング状の補強材１４４６Ｄの内周縁がメインドーム１４４１の頂部Ｑよりも境界１４４４側に配置されることを意味する。「境界１４４４を挟むメインドーム１４４１の一部とサブドーム１４４２の一部」は、頂部Ｑと境界１４４４との中間位置よりも頂部Ｑ側、および、頂部Ｐと境界１４４４との中間位置よりも頂部Ｐ側である。すなわち、「境界１４４４を挟むメインドーム１４４１の一部とサブドーム１４４２の一部」は、頂部Ｐよりも境界１４４４側から頂部Ｑよりも境界１４４４側までの領域である。
【００７９】
●まとめ（２）
以上説明した実施の形態によれば、第１実施形態と同様に、振動板１４４Ｄは、振動板１４４Ｄの最低共振周波数への影響を抑制しつつ、振動板１４４Ｄの機械的強度を向上させることができる。
【００８０】
なお、第２実施形態において、補強材は、振動部の表面に代えて、振動部の裏面に接着材を介して貼り付ける構成でもよい。
【００８１】
図９は、補強材の別の態様を示す振動板の断面図である。
同図は、振動部の裏面（図９の紙面下側の面）に補強材が貼り付けられていることを示す。
【００８２】
振動板１４４Ｅは、メインドーム１４４１と、サブドーム１４４２と、取付部１４４３と、境界１４４４と、境界１４４５と、補強材１４４６Ｅと、を備える。
【００８３】
補強材１４４６Ｅは、図９に示されるように、境界１４４４と、境界１４４４を挟むメインドーム１４４１の一部と、サブドーム１４４２の一部と、の裏面に配置される。補強材１４４６Ｅは、サブドーム１４４２の外周縁に至るまでは配置されず、メインドーム１４４１の頂部Ｑやその近傍にも配置されない。すなわち、補強材１４４６Ｅは、境界１４４４と、境界１４４４を挟むメインドーム１４４１の一部と、サブドーム１４４２の一部と、にのみ配置され、境界１４４５には配置されない。つまり、補強材１４４６Ｅは、サブドーム１４４２の外周縁には配置されない。補強材１４４６Ｅは、接着剤（不図示）を介して、境界１４４４とその近傍に貼り付けられる。補強材１４４６Ｅは、先に説明した補強材１４４６Ｄと同様に平面視リング状である。
【００８４】
このような補強材１４４６Ｅを備える振動板１４４Ｅによっても、先に説明した振動板１４４Ａと同様の効果を奏する。
【００８５】
また、補強材は、振動部の表面と、振動部の裏面と、に接着材を介して貼り付ける構成でもよい。
【００８６】
図１０は、補強材のさらに別の態様を示す振動板の断面図である。
同図は、振動部の表面（図１０の紙面上側の面）と、振動部の裏面（図１０の紙面下側の面）と、に補強材が貼り付けられていることを示す。すなわち、同図は、振動部の表面に第１補強材が貼り付けられ、振動部の裏面に第２補強材が貼り付けられていることを示す。
【００８７】
振動板１４４Ｆは、メインドーム１４４１と、サブドーム１４４２と、取付部１４４３と、境界１４４４と、境界１４４５と、補強材１４４６Ｆと、を備える。
【００８８】
補強材１４４６Ｆは、第１補強材１４４６Ｆ１と第２補強材１４４６Ｆ２とを備える。第１補強材１４４６Ｆ１の形状は、第２補強材１４４６Ｆ２の形状と同じである。第１補強材１４４６Ｆ１の内周縁（内側端部）と外周縁（外側端部）の位置は、それぞれ第２補強材１４４６Ｆ２の内周縁（内側端部）と外周縁（外側端部）の位置と一致する。
【００８９】
第１補強材１４４６Ｆ１は、図１０に示されるように、境界１４４４と、境界１４４４を挟むメインドーム１４４１の一部と、サブドーム１４４２の一部と、の表面に配置される。第１補強材１４４６Ｆ１は、サブドーム１４４２の表面における外周縁に至るまでは配置されず、メインドーム１４４１の頂部Ｑやその近傍にも配置されない。第２補強材１４４６Ｆ２は、サブドーム１４４２の裏面における外周縁に至るまでは配置されず、メインドーム１４４１の頂部Ｑやその近傍にも配置されない。第２補強材１４４６Ｆ２は、図１０に示されるように、境界１４４４と、境界１４４４を挟むメインドーム１４４１の一部と、サブドーム１４４２の一部と、の裏面に配置される。すなわち、第１補強材１４４６Ｆ１と第２補強材１４４６Ｆ２とは、いずれも境界１４４４と、境界１４４４を挟むメインドーム１４４１の一部と、サブドーム１４４２の一部と、にのみ配置され、境界１４４５には配置されない。つまり、第１補強材１４４６Ｆ１と第２補強材１４４６Ｆ２とは、いずれもサブドーム１４４２における外周縁には配置されない。第１補強材１４４６Ｆ１は、接着剤（不図示）を介して、境界１４４４と、境界１４４４を挟むメインドーム１４４１の一部と、サブドーム１４４２の一部と、に貼り付けられる。第２補強材１４４６Ｆ２は、接着剤（不図示）を介して、境界１４４４と、境界１４４４を挟むメインドーム１４４１の一部と、サブドーム１４４２の一部と、に貼り付けられる。第１補強材１４４６Ｆ１と第２補強材１４４６Ｆ２とは、いずれも先に説明した補強材１４４６Ｄと同様に平面視リング状である。
【００９０】
このような補強材１４４６Ｆを備える振動板１４４Ｆによっても、振動板１４４Ａと同様の効果を奏する。
【００９１】
ここで、第１補強材の形状は、第２補強材の形状と異なってもよい。
【００９２】
図１１は、補強材のさらに別の態様を示す振動板の断面図である。
同図は、振動部の表面（図１１の紙面上側の面）と、振動部の裏面（図１１の紙面下側の面）と、に異なる形状の補強材が貼り付けられていることを示す。
【００９３】
振動板１４４Ｊは、メインドーム１４４１と、サブドーム１４４２と、取付部１４４３と、境界１４４４と、境界１４４５と、補強材１４４６Ｊと、を備える。
【００９４】
補強材１４４６Ｊは、第１補強材１４４６Ｊ１と第２補強材１４４６Ｊ２とを備える。第１補強材１４４６Ｊ１は、第２実施形態における第１補強材１４４６Ｆ１（図１０参照）と同様の形状、かつ、振動板１４４Ｆにおける同様の位置に配置される。
【００９５】
第２補強材１４４６Ｊ２は、図１１に示されるように、境界１４４４と、境界１４４４を挟むメインドーム１４４１と、サブドーム１４４２と、の裏面に配置される。第２補強材１４４６Ｊ２の外周縁は、第１補強材１４４６Ｊ１の外周縁よりも頂部Ｐ側に配置される。ここで、第２補強材１４４６Ｊ２は、サブドーム１４４２の裏面における外周縁に至るまでは配置されない。一方、第２補強材１４４６Ｊ２の内周縁は、第１補強材１４４６Ｊ１の内周縁よりも頂部Ｑ側に配置される。ここで、第２補強材１４４６Ｊ２は、サブドーム１４４２の裏面における外周縁に至るまでは配置されない。
【００９６】
このような補強材１４４６Ｊを備える振動板１４４Ｊによっても、振動板１４４Ａと同様の効果を奏する。
【００９７】
図１２は、補強材のさらに別の態様を示す振動板の断面図である。
同図は、振動部の表面（図１２の紙面上側の面）と、振動部の裏面（図１２の紙面下側の面）と、に異なる形状の補強材が貼り付けられていることを示す。
【００９８】
振動板１４４Ｋは、メインドーム１４４１と、サブドーム１４４２と、取付部１４４３と、境界１４４４と、境界１４４５と、補強材１４４６Ｋと、を備える。
【００９９】
補強材１４４６Ｋは、第１補強材１４４６Ｋ１と第２補強材１４４６Ｋ２とを備える。第１補強材１４４６Ｋ１については、後述する。
【０１００】
第２補強材１４４６Ｋ２は、第２実施形態における第２補強材１４４６Ｆ２（図１０参照）と同様の形状、かつ、振動板１４４Ｆにおける同様の位置に配置される。
【０１０１】
第１補強材１４４６Ｋ１は、図１２に示されるように、境界１４４４と、境界１４４４を挟むメインドーム１４４１と、サブドーム１４４２と、の表面に配置される。第１補強材１４４６Ｋ１の外周縁は、第２補強材１４４６Ｋ２の外周縁よりも頂部Ｐ側に配置される。ここで、第１補強材１４４６Ｋ１は、サブドーム１４４２の表面における外周縁に至るまでは配置されない。一方、第１補強材１４４６Ｋ１の内周縁は、第２補強材１４４６Ｋ２の内周縁よりも頂部Ｑ側に配置される。ここで、第１補強材１４４６Ｋ１は、サブドーム１４４２の表面における外周縁に至るまでは配置されない。
【０１０２】
●電気音響変換装置と電気音響変換器と振動板（３）●
次に、本発明にかかる電気音響変換器と振動板との別の実施の形態（以下「第３実施形態」という。）について、先に説明した第１実施形態と第２実施形態と異なる部分を中心に説明する。
【０１０３】
第３実施形態の電気音響変換装置は、第３実施形態の電気音響変換器を備える。第３実施形態の電気音響変換器は、第３実施形態の振動板を備える。すなわち、第３実施形態の電気音響変換装置は、第３実施形態の振動板を備えた電気音響変換器を有する。
【０１０４】
第３実施形態の電気音響変換装置と電気音響変換器と振動板とは、振動板の構成が第１実施形態や第２実施形態の振動板の構成と異なり、その他は第１実施形態と同様である。
【０１０５】
第３実施形態の振動板が備える補強材は、メインドームの全体と境界とサブドームの一部との表面に配置される第１補強材と、同境界と同境界を挟むメインドームの一部とサブドームの一部との裏面に配置される第２補強材と、を含み、第１補強材の形状が第２補強材の形状と異なる点において、第１実施形態や第２実施形態の振動板と異なる。
【０１０６】
●振動板（３）の構成
図１３は、本発明にかかる振動板のさらに別の実施の形態を示す、（ａ）は平面図、（ｂ）は（ａ）のＤ−Ｄ線断面図、（ｃ）は底面図、である。
同図において、第１実施形態と同じ符号が付された部材は、第１実施形態と同じ機能を備える。
【０１０７】
振動板１４４Ｇは、メインドーム１４４１と、サブドーム１４４２と、取付部１４４３と、境界１４４４と、境界１４４５と、補強材１４４６Ｇと、を備える。
【０１０８】
補強材１４４６Ｇは、第１補強材１４４６Ｇ１と第２補強材１４４６Ｇ２とを備える。第１補強材１４４６Ｇ１の形状は、第２補強材１４４６Ｇ２の形状と異なる。第１補強材１４４６Ｇ１は、第１実施形態における第１補強材１４４６Ｃ１（図７参照）と同様の形状、かつ、振動板１４４Ｃにおける同様の位置に配置される。第２補強材１４４６Ｇ２は、第２実施形態における第２補強材１４４６Ｆ２（図１０参照）と同様の形状、かつ、振動板１４４Ｆにおける同様の位置に配置される。
【０１０９】
第１補強材１４４６Ｇ１は、図１３（ｂ）に示されるように、メインドーム１４４１の全体と、境界１４４４と、サブドーム１４４２の一部と、の表面（図１３（ｂ）の紙面上側の面）に配置される。第２補強材１４４６Ｇ２は、図１３（ｂ）に示されるように、境界１４４４と、境界１４４４を挟むメインドーム１４４１の一部と、サブドーム１４４２の一部と、の裏面（図１３（ｂ）の紙面下側の面）に配置される。すなわち、補強材１４４６Ｇは、振動部の表面と裏面とに配置される。
【０１１０】
●まとめ（３）
以上説明した実施の形態によれば、第１実施形態や第２実施形態と同様に、振動板１４４Ｇは、振動板１４４Ｇの最低共振周波数への影響を抑制しつつ、振動板１４４Ｇの機械的強度を向上させることができる。
【０１１１】
なお、第３実施形態において、補強材は、第１補強材と、第２補強材と、を逆に配置する構成でもよい。
【０１１２】
図１４は、補強材の別の態様を示す振動板の断面図である。
同図は、振動部の表面（図１４の紙面上側の面）と、振動部の裏面（図１４の紙面下側の面）と、に補強材が貼り付けられていることを示す。
【０１１３】
振動板１４４Ｈは、メインドーム１４４１と、サブドーム１４４２と、取付部１４４３と、境界１４４４と、境界１４４５と、補強材１４４６Ｈと、を備える。
【０１１４】
補強材１４４６Ｈは、第１補強材１４４６Ｈ１と第２補強材１４４６Ｈ２とを備える。第１補強材１４４６Ｈ１は、第２実施形態における第１補強材１４４６Ｆ１（図１０参照）と同様の形状、かつ、振動板１４４Ｆにおける同様の位置に配置される。第２補強材１４４６Ｈ２は、第１実施形態における第２補強材１４４６Ｃ２（図８参照）と同様の形状、かつ、振動板１４４Ｃにおける同様の位置に配置される。
【０１１５】
第１補強材１４４６Ｈ１は、図１４に示されるように、境界１４４４と、境界１４４４を挟むメインドーム１４４１の一部と、サブドーム１４４２の一部と、の表面に配置される。第２補強材１４４６Ｈ２は、図１２に示されるように、メインドーム１４４１の全体と、境界１４４４と、サブドーム１４４２の一部と、の裏面に配置される。すなわち、補強材１４４６Ｈは、振動部の表面と裏面とに配置される。
【０１１６】
このような補強材１４４６Ｈを備える振動板１４４Ｈによっても、先に説明した振動板１４４Ａと同様の効果を奏する。
【０１１７】
●まとめ（その他）
本発明にかかる振動板において、補強材は、振動部の表面または裏面の少なくとも一方に、複数の薄膜を積層して構成してもよい。すなわち、例えば、複数の薄膜は、第１薄膜と、第１薄膜に積層される第２薄膜と、を含む。この場合、第１薄膜と第２薄膜とは、接着剤で接着される。振動部を補強して振動部の機械的強度を向上させることができれば、第１薄膜の材質は、第２薄膜の材質と同じ材質、あるいは、異なる材質のいずれでもよい。薄膜を積層する、とは、「振動部に近い位置に配置された薄膜（第１薄膜）」に「振動部から離れた位置に配置された薄膜（第２薄膜）」を重ねることである。
【０１１８】
複数の薄膜を積層して構成される補強材においては、第２薄膜の材質は、第１薄膜の材質よりも硬質であることが望ましい。このような構成とすることで、より強固に振動部を補強することができる。
【０１１９】
また、第１補強材と第２補強材とを含む構成において、第１補強材の材質は、第２補強材の材質と、異なる材質を用いる構成としてもよい。
【０１２０】
なお、以上説明した各実施の形態は、本発明にかかる振動板を、電気信号を音波に変換するヘッドホンに適用した場合の例である。しかし、本発明にかかる振動板は、音波を電気信号に変換する電気音響変換器に適用してもよい。すなわち、本発明にかかる振動板は、マイクロホンユニットなどに用いられるドライバユニットにも適用可能である。つまり、ドライバユニットは、本発明にかかる振動板を音波に応じて振動させて、この振動に基づく電気信号を生成する。この場合、ドライバユニットは、本発明にかかる電気音響変換器の例である。また、このドライバユニットを備えるマイクロホンユニットは、本装置の例である。
【０１２１】
●本発明にかかる振動板と電気音響変換器とのまとめ●
以上説明した本発明にかかる振動板と電気音響変換器と、本発明にかかる振動板と電気音響変換器とを備える電気音響変換装置の構成上の特徴について、以下にまとめて記載しておく。
【０１２２】
（特徴１）
メインドームと、
前記メインドームの外周縁に連なるサブドームと、
前記メインドームと前記サブドームとの境界に配置される補強材と、
を有してなり、
前記補強材は、前記サブドームの外周縁に至るまでは配置されない、
ことを特徴とする振動板。
【０１２３】
（特徴２）
前記補強材の外周縁は、前記サブドームの頂部の近傍に配置される、
特徴１記載の振動板。
【０１２４】
（特徴３）
前記境界の形状は、円形で、
前記補強材の形状は、リング状である、
特徴１記載の振動板。
【０１２５】
（特徴４）
前記補強材は、前記メインドームの頂部に配置されない、
特徴１記載の振動板。
【０１２６】
（特徴５）
前記補強材は、メッシュ部を含む、
特徴１記載の振動板。
【０１２７】
（特徴６）
前記補強材の材質は、前記サブドームの材質とは異なる、
特徴１記載の振動板。
【０１２８】
（特徴７）
前記補強材は、少なくとも、
前記境界の表面に配置される第１補強材と、
前記境界の裏面に配置される第２補強材と、
のいずれか一方を含む、
特徴１記載の振動板。
【０１２９】
（特徴８）
前記補強材は、前記第１補強材と前記第２補強材とを含み、
前記第１補強材の材質は、前記第２補強材の材質とは異なる、
特徴７記載の振動板。
【０１３０】
（特徴９）
前記補強材は、前記第１補強材と前記第２補強材とを含み、
前記第１補強材の形状は、前記第２補強材の形状とは異なる、
特徴７記載の振動板。
【０１３１】
（特徴１０）
前記補強材は、
第１薄膜と、
前記第１薄膜に積層される第２薄膜と、
を含む、
特徴１記載の振動板。
【０１３２】
（特徴１１）
前記第１薄膜の材質は、前記第２薄膜の材質とは異なる、
特徴１０記載の振動板。
【０１３３】
（特徴１２）
電気信号を音波に変換、または、音波を電気信号に変換する電気音響変換器であって、
前記電気信号に応じて振動、または、前記音波に応じて振動する振動板を備え、
前記振動板は、特徴１記載の振動板である、
ことを特徴とする電気音響変換器。
【０１３４】
（特徴１３）
電気信号を音波に変換、または、音波を電気信号に変換する電気音響変換器を備える電気音響変換装置であって、
前記電気音響変換器は、特徴１２記載の電気音響変換器である、
ことを特徴とする電気音響変換装置。
【符号の説明】
【０１３５】
１                本装置
１０              第１放音ユニット
１１              ハウジング
１１１            バッフル板
１１２            第１ハウジング
１１３            第２ハウジング
１２              イヤパッド
１３              回路基板
１４Ａ            電気音響変換器
１４１            ユニットケース
１４２            磁気回路
１４３            ボイスコイル
１４４Ａ〜Ｈ      振動板
１４４Ｊ〜Ｋ      振動板
１４４１          メインドーム
１４４２          サブドーム
１４４３          取付部
１４４４          境界
１４４５          境界
１４４６Ａ〜Ｈ    補強材
１４４６Ｊ〜Ｋ    補強材
１４４６Ｃ１      第１補強材
１４４６Ｃ２      第２補強材
１４４６Ｆ１      第１補強材
１４４６Ｆ２      第２補強材
１４４６Ｇ１      第１補強材
１４４６Ｇ２      第２補強材
１４４６Ｈ１      第１補強材
１４４６Ｈ２      第２補強材
１４４６Ｊ１      第１補強材
１４４６Ｊ２      第２補強材
１４４６Ｋ１      第１補強材
１４４６Ｋ２      第２補強材
２０              第２放音ユニット
２１              ハウジング
２２              イヤパッド
３０              連結部材
Ｓ１              第１収容室
Ｓ２              第２収容室
Ｓ３              前空気室
Ｐ                頂部
Ｑ                頂部
【図１】
2019110515.tif 000003
【図２】
2019110515.tif 000004
【図３】
2019110515.tif 000005
【図４】
2019110515.tif 000006
【図５】
2019110515.tif 000007
【図６】
2019110515.tif 000008
【図７】
2019110515.tif 000009
【図８】
2019110515.tif 000010
【図９】
2019110515.tif 000011
【図１０】
2019110515.tif 000012
【図１１】
2019110515.tif 000013
【図１２】
2019110515.tif 000014
【図１３】
2019110515.tif 000015
【図１４】
2019110515.tif 000016